(57)【要約】【課題】利用者の位置情報や嗜好情報を使用して、利用者が最適な観光地情報、店舗情報等を取得することができる、携帯電話を利用した目的地紹介・案内システムを提供する。【解決手段】利用者が所持する携帯電話１０１と、携帯電話１０１に、音声データ又は情報により目的地を案内又は紹介する音声サーバ１０４とが通信自在に接続される、携帯電話を利用した目的地紹介・案内システムであって、音声サーバ１０４は、携帯電話１０１から送信された位置情報を取得する手段と、データベースに携帯電話１０１の利用者が移動したい場所である目的地が予め設定されている場合、データベースから利用者の目的地を取得すると共に、データベースから目的地の経緯を取得する手段と、経路探索処理を実施し、現在位置から目的地への道案内を行う音声データをデータベースから取得する手段と、取得した音声データを携帯電話１０１に送信する手段等を備えている。【選択図】図１
2010139287.tif 000002
【特許請求の範囲】
【請求項１】
利用者が所持する携帯電話と、各種情報を保管するデータベースにアクセスし、前記携帯電話に、音声データ又は情報により目的地を案内又は紹介する音声サーバとが通信自在に接続される、携帯電話を利用した目的地紹介・案内システムであって、
前記携帯電話は、ＧＰＳにより現在の位置情報を取得する手段と、
取得した位置情報を前記音声サーバに送信する手段と、
前記音声サーバから音声データが返信されると、受信した音声データを再生する手段と、
前記音声サーバから受信したデータに紹介情報が含まれる場合は、画面に紹介情報としての複数の目的地候補を表示する手段と、
利用者が複数の目的地候補の選択肢の中からいずれかを選択した場合、目的地変更情報を前記音声サーバに送信する手段とを備え、
前記音声サーバは、前記携帯電話から送信された位置情報を取得する手段と、
前記データベースに前記携帯電話の利用者が移動したい場所である目的地が予め設定されている場合、前記データベースから利用者の目的地を取得すると共に、前記データベースから目的地の経緯を取得する手段と、
経路探索処理を実施し、現在位置から目的地への道案内を行う音声データを前記データベースから取得する手段と、
取得した音声データを前記携帯電話に送信する手段と、
前記データベースに目的地が設定されていない場合、又は、前記データベースに目的地が設定済みであっても目的地の紹介情報を提供する場合、前記データベースから紹介情報として提供する候補地を少なくとも１つ取得する手段と、
紹介用の音声データを前記データベースから取得する手段と、
取得した音声データを紹介情報と共に前記携帯電話に送信する手段と、
前記携帯電話から受信した目的地変更情報を前記データベースに反映する手段と、
前記データベースから前記目的地変更情報に応じた音声データを取得して前記携帯電話に送信する手段とを備えたことを特徴とする携帯電話を利用した目的地紹介・案内システム。
【請求項２】
前記音声サーバは、前記データベースから利用者の嗜好情報を取得し、前記データベースから前記嗜好情報に合致する場所を候補地として取得する手段と、
前記データベースの嗜好情報と訪問履歴から利用者と同じ嗜好情報を持つ他の利用者が過去に訪れた場所を候補地として取得する手段と、
前記データベースの訪問履歴を元に、利用者が過去に訪問済みの場所をそれら候補地の中から除外する手段と、
残った候補地から、利用者の現在位置を基点として近い位置にある候補地を少なくとも１つ抽出する手段とを備えたことを特徴とする請求項１記載の携帯電話を利用した目的地紹介・案内システム。
【発明の詳細な説明】
【技術分野】
【０００１】
本発明は、利用者の位置情報や嗜好情報を使用して、利用者が最適な観光地情報、店舗情報等を取得することができる、携帯電話を利用した目的地紹介・案内システムに関するものである。
【背景技術】
【０００２】
近年では、個人が所有する携帯電話の多くにもＧＰＳが搭載されるようになり、ＧＰＳを利用して現在位置を確認する地図情報システムや、目的地までの道のりを教えてくれる経路案内システムなどを個人で手軽に利用することができるようになっている。また、通信高速化の実現やパケット定額化などのプランの登場により、音声データをサーバから携帯電話上にダウンロードすることも多く行われている。
これに関して、例えば特許文献１のような技術が存在する。特許文献１には、目的地までの経路上に存在する店舗に関する情報を情報センターから取得し、経路案内する際に、同時に店舗情報を音声報知するカーナビゲーションシステムが記載されている。
【特許文献１】特開２００４−１０８９８５号公報
【発明の開示】
【発明が解決しようとする課題】
【０００３】
住んだことの無い土地に転居し新しい生活を始めた場合や、見知らぬ土地に観光で訪れた際、手持ちの携帯電話に搭載されているＧＰＳや経路案内システムなどを使って現在位置や経路を調べることで、目的地へ短時間で移動することが可能となる。しかし、土地勘が無いうちは行動も制限され、移動できる場所も限られる。地元の人しか知らない名所や店など、存在を知らないために訪れる機会を失ってしまうことも多い。地元の人に尋ねることでそういった情報を取得することもできるが、自分の嗜好にあった場所の情報を得ることは困難であるし、位置関係から移動に時間がかかるなどの問題も生じたりする。
【０００４】
以上の現状に鑑み、本発明は、利用者の位置情報や嗜好情報を使用して、利用者が最適な観光地情報、店舗情報等を取得することができる、携帯電話を利用した目的地紹介・案内システムを提供することを目的とする。
【課題を解決するための手段】
【０００５】
上記の課題を解決すべく、本発明は以下の構成を提供する。
請求項１に係る発明は、利用者が所持する携帯電話と、各種情報を保管するデータベースにアクセスし、前記携帯電話に、音声データ又は情報により目的地を案内又は紹介する音声サーバとが通信自在に接続される、携帯電話を利用した目的地紹介・案内システムであって、
前記携帯電話は、ＧＰＳにより現在の位置情報を取得する手段と、
取得した位置情報を前記音声サーバに送信する手段と、
前記音声サーバから音声データが返信されると、受信した音声データを再生する手段と、
前記音声サーバから受信したデータに紹介情報が含まれる場合は、画面に紹介情報としての複数の目的地候補を表示する手段と、
利用者が複数の目的地候補の選択肢の中からいずれかを選択した場合、目的地変更情報を前記音声サーバに送信する手段とを備え、
前記音声サーバは、前記携帯電話から送信された位置情報を取得する手段と、
前記データベースに前記携帯電話の利用者が移動したい場所である目的地が予め設定されている場合、前記データベースから利用者の目的地を取得すると共に、前記データベースから目的地の経緯を取得する手段と、
経路探索処理を実施し、現在位置から目的地への道案内を行う音声データを前記データベースから取得する手段と、
取得した音声データを前記携帯電話に送信する手段と、
前記データベースに目的地が設定されていない場合、又は、前記データベースに目的地が設定済みであっても目的地の紹介情報を提供する場合、前記データベースから紹介情報として提供する候補地を少なくとも１つ取得する手段と、
紹介用の音声データを前記データベースから取得する手段と、
取得した音声データを紹介情報と共に前記携帯電話に送信する手段と、
前記携帯電話から受信した目的地変更情報を前記データベースに反映する手段と、
前記データベースから前記目的地変更情報に応じた音声データを取得して前記携帯電話に送信する手段とを備えたことを特徴とする携帯電話を利用した目的地紹介・案内システムを提供するものである。
【０００６】
請求項２に係る発明は、前記音声サーバは、前記データベースから利用者の嗜好情報を取得し、前記データベースから前記嗜好情報に合致する場所を候補地として取得する手段と、
前記データベースの嗜好情報と訪問履歴から利用者と同じ嗜好情報を持つ他の利用者が過去に訪れた場所を候補地として取得する手段と、
前記データベースの訪問履歴を元に、利用者が過去に訪問済みの場所をそれら候補地の中から除外する手段と、
残った候補地から、利用者の現在位置を基点として近い位置にある候補地を少なくとも１つ抽出する手段とを備えたことを特徴とする請求項１記載の携帯電話を利用した目的地紹介・案内システムを提供するものである。
【発明の効果】
【０００７】
本発明によれば、利用者が見知らぬ土地で生活する場合や、観光地においても、利用者の位置情報や嗜好情報を使用して、最適な観光地情報、店舗情報等を取得することができる、携帯電話を利用した目的地紹介・案内システムを提供することが可能となる。
【発明を実施するための最良の形態】
【０００８】
以下、実施例を示した図面を参照しつつ本発明の実施の形態を説明する。
尚、上記音声サーバは、コンピュータであり、上記各手段は、コンピュータのＣＰＵ又は携帯電話が必要なコンピュータプログラムを読み込んで実行することにより実現される手段であり、そのフローチャート図が図７乃至図９である。
以下、本発明を適用した目的地紹介・案内システムの実施形態について、図面を基づき説明する。
図１は、本発明を適用したシステム構成図である。この実施例の目的地紹介・案内システムは、本発明を適用した利用者が所持する携帯電話１０１と、各種情報をデータベースに保管しアクセスを行う音声サーバ１０４とから構成され、携帯電話１０１には音声再生プログラム１０２が配置される。音声再生プログラム１０２は携帯電話１０１のネットワーク通信機能を使用し、音声サーバ１０４に配置される音声配信プログラム１０５と公衆回線網１０３を通してパケット通信を行う。音声配信プログラム１０５は、道案内をする音声データを格納する音声情報１０６、利用者の個人情報や現在の目的情報を格納する利用者情報１０７、利用者が過去に訪れたことのある場所の情報を格納する訪問履歴１０８、利用者の嗜好を分類化した情報を格納する嗜好情報１０９、観光地や店舗などの場所の情報を格納する場所情報１１０のデータベースに接続しており、それぞれから必要な情報の目的地、音声案内データの抽出、利用者の訪問履歴の登録、更新を行う。
【０００９】
図２は、本発明を適用した利用イメージである。音声再生プログラム２０２は位置情報取得部２０３、音声データ再生部２０４、目的地表示選択部２０５から構成され、音声配信プログラム２０６は音声データ配信部２０７、目的地紹介部２０８、目的地変更部２０９から構成される。利用者２０１が持つ携帯電話１０１で音声再生プログラム２０２を起動した状態にしておくと、位置情報取得部２０３が定期的に携帯電話１０１のＧＰＳにより現在位置を取得し、目的地紹介部２０８に位置情報を送信する。目的地紹介部２０８は訪問履歴２１２、嗜好情報２１３、場所情報２１４から取得した利用者の情報と受信した位置情報から紹介する場所を絞り込み、目的地表示選択部２０５に紹介情報を送信する。また音声データ配信部２０７を介して紹介音声データを音声情報２１０から取得し、音声データ配信部２０７は音声データ再生部２０４に音声データを送信する。音声データ再生部２０４が受信した音声データを再生することで、利用者２０１は紹介情報を得ることができる。
【００１０】
目的地表示選択部２０５は紹介情報を画面に表示し、利用者２０１が移動したい場所を目的地として選択すると新たな目的地情報が目的地変更部２０９に送信される。目的地変更部２０９は受信した目的地情報を元に利用者情報２１１を更新する。また、位置情報取得部２０３は音声データ配信部２０７にも位置情報を送信し、音声データ配信部２０７は受信した位置情報と利用者情報２１１を元に経路を特定し、音声情報２１０から道案内を行う音声データを取得し音声データ再生部２０４に送信する。音声データ再生部２０４が受信した音声データを再生することで、利用者２０１は案内情報を得ることができる。
【００１１】
図３は、利用者情報３０１のデータ構造の一例を示す図である。利用者情報３０１は利用者の個人情報や現在の目的情報を格納するデータベースであり、利用者３０２、目的地３０３が含まれる。目的地３０３は利用者３０２が現在移動しようとしている場所であり、音声データ配信部２０７はこの情報を元に経路探索を行う。また目的地変更部２０９は、利用者３０２が目的地表示選択部２０５で紹介情報を元に選択した新しい場所を目的地３０３に再設定する。
【００１２】
図４は、嗜好情報４０１のデータ構造を示す図である。嗜好情報４０１は利用者の嗜好を分類化した情報を格納するデータベースであり、利用者４０２、大分類４０３、小分類４０４が含まれる。通常、人は複数の嗜好を持つため、利用者４０２は主キーとせず、利用者ごとに複数のレコードを登録が可能なデータ構造とする。
【００１３】
図５は、訪問履歴５０１のデータ構造を示す図である。訪問履歴５０１は利用者が過去に訪れたことのある場所の情報を格納するデータベースであり、利用者５０２、場所５０３、日付５０４が含まれる。訪問履歴５０１には利用者５０２が過去に本発明を適用した目的地紹介・案内システムを使用して訪れた場所５０３を日付５０４と共に登録することで、紹介情報を決定する際に利用する。訪問済みの場所は利用者が既に経路を知っているので、紹介情報からは除外するために利用する。また、嗜好情報４０１と訪問履歴５０１を組み合わせることで、同じ嗜好を持つ別の利用者が過去に訪れた観光地や店舗の検索を可能とする。
【００１４】
図６は、場所情報６０１のデータ構造を示す図である。場所情報６０１は観光地や店舗などの場所の情報を格納するデータベースであり、名前６０２、住所６０３、経緯６０４が含まれる。名前６０２は建物の名前や店舗名、駅名など場所を表す名前で、住所６０３は名前６０２が表す場所の住所文字列である。経緯６０４は地図情報上の位置を特定するためのポインタで、位置情報取得部２０３から渡された現在位置と共に経路探索で使用する値となる。
【００１５】
図７は、音声再生プログラム２０２における処理の概要を示すフローチャートである。利用者が携帯電話１０１上で音声再生プログラム２０２を起動させた状態にしておくと、位置情報取得部２０３はＧＰＳにより現在の位置情報を取得する（ステップ７０１）。位置情報取得部２０３は取得した位置情報を音声サーバ１０４に送信する（ステップ７０２）。音声サーバ１０４からは音声データや紹介情報が返信されるので、音声データ再生部２０４は受信した音声データを再生し、利用者２０１に情報を伝達する（ステップ７０３、ステップ７０４）。受信したデータに紹介情報が含まれる場合は、目的地表示選択部２０５は携帯電話１０１の画面に複数の目的地候補を表示する（ステップ７０６）。利用者２０１が選択肢の中からいずれかを選択した場合、目的地表示選択部２０５は目的地変更情報を音声サーバ１０４に送信する（ステップ７０８）。目的地変更情報は利用者情報２１１に反映され、それに応じた音声データを次回以降ダウンロードすることになる。
【００１６】
図８は、音声配信プログラム２０６における処理の概要を示すフローチャートである。音声配信プログラム２０６では、まず音声再生プログラムから送信された位置情報を取得する（ステップ８０１）。目的地が設定されている場合、通常は道案内情報を提供することとなる。音声データ配信部２０７は利用者情報２１１から利用者２０１の目的地３０３を取得し、さらに場所情報２１４から目的地３０３の経緯６０３を取得する（ステップ８０２、ステップ８０３）。経路探索処理を実施し、現在位置から目的地への道案内を行う音声データを音声情報２１０から取得する（ステップ８０４）。音声データは携帯電話１０１に送信し、音声データ再生部によって再生される（ステップ８０５）。目的地が設定されていない場合は、紹介情報を提供することになる。また、設定済みであっても定期的に紹介情報を提供する場合もある。その場合、まず図９に示す紹介場所抽出処理を実行し、紹介情報として提供する候補地を数点取得する（ステップ８０６）。次に音声データ配信部２０７が紹介用の音声データを音声情報２１０から取得し、紹介情報と共に携帯電話１０１に送信する（ステップ８０７、ステップ８０８）。音声データは音声データ再生部２０４によって再生され、紹介情報は目的地表示選択部２０５によって画面に表示される。
【００１７】
図９は、音声配信プログラム２０６における紹介場所抽出処理の概要を示すフローチャートである。本処理では、まず嗜好情報２１３から利用者の情報を取得し、場所情報２１４から利用者が持つ嗜好分類に合致する場所を候補地として取得する（ステップ９０１、ステップ９０２）。次に、嗜好情報２１３と訪問履歴２１２から利用者と同じ嗜好分類を持つ他の利用者が過去に訪れた場所を候補地として取得する（ステップ９０３）。それら候補地の中から、利用者が過去に訪問済みの場所を、訪問履歴２１２を元に除外する（ステップ９０４、ステップ９０５）。最後に、残った候補地から、利用者の現在位置を基点として近い位置にある候補地を数点抽出する（ステップ９０６）。この際、候補地に複数の嗜好分類が含まれている場合は、できるだけ満遍なく抽出されるようにする。なお、ステップ９０２およびステップ９０３では通常、嗜好情報２１３の小分類４０４を使用して一致検索を行うが、検索結果があまりに少ない場合は大分類４０３を使用して再検索することで十分な量の候補地を抽出できるようにする。
【図面の簡単な説明】
【００１８】
【図１】本発明による携帯電話を利用した目的地紹介・案内システムの一実施例を示すシステム構成図である。
【図２】本発明による携帯電話を利用した目的地紹介・案内システムの利用イメージ図である。
【図３】本発明の利用者情報のデータ構成図である。
【図４】本発明の嗜好情報のデータ構成図である。
【図５】本発明の訪問履歴のデータ構成図である。
【図６】本発明の場所情報のデータ構成図である。
【図７】本発明の音声再生プログラムにおける処理の概要を示すフローチャート図である。
【図８】本発明の音声配信プログラムにおける処理の概要を示すフローチャート図である。
【図９】本発明の音声配信プログラムにおける紹介場所抽出処理の概要を示すフローチャート図である。
【符号の説明】
【００１９】
１０１  携帯電話
１０４  音声サーバ
１０８，２１２，５０１  訪問履歴
１０９，２１３，４０１  嗜好情報
２０１，３０２，４０２，５０２  利用者
６０４  経緯
【図１】
2010139287.tif 000003
【図２】
2010139287.tif 000004
【図３】
2010139287.tif 000005
【図４】
2010139287.tif 000006
【図５】
2010139287.tif 000007
【図６】
2010139287.tif 000008
【図７】
2010139287.tif 000009
【図８】
2010139287.tif 000010
【図９】
2010139287.tif 000011